(57)【要約】【課題】装置構成の更なる簡略化及び／又は低価格化等を図る。【解決手段】時刻情報生成装置１０は、計時手段で計時された現在時刻を表す時刻データを所定の周期のパルス信号に変換するパルス発生器１０１、電波時計が受信する基準電波の周波数と整数分の１の関係にある可聴帯域周波数の搬送波信号を、変換されたパルス信号で振幅変調するＡＭ変調器１０３、振幅変調された変調信号を、アナログ出力端子１０８から時刻情報送信装置２０に出力するための処理を行う信号処理部を備え、時刻情報送信装置２０は、アナログ入力端子２０１からＡＭ変調された変調信号を受け取り、変調信号の周波数を基準電波の周波数に変換する４逓倍器２０２、変換された変調信号を無線送信する無線送信部を備える。【選択図】図３
2014044133.tif 000002
【特許請求の範囲】
【請求項１】
現在時刻を表す時刻情報を生成する時刻情報生成装置と、前記時刻情報を無線送信する時刻情報送信装置とを備えた時刻情報送信システムであって、
前記時刻情報生成装置は、
時刻を計時する計時手段と、
前記計時手段で計時された現在時刻を表す時刻データを取得し、前記時刻データを所定の周期のパルス信号に変換するパルス発生手段と、
電波時計が受信する基準電波の周波数と整数分の１の関係にある可聴帯域周波数の搬送波信号を、前記変換されたパルス信号で振幅変調する振幅変調手段と、
前記振幅変調された変調信号を、アナログ出力端子を介して接続された前記時刻情報送信装置に出力するための処理を行う出力処理手段と、を備え、
前記時刻情報送信装置は、
アナログ入力端子を介して接続された前記時刻情報生成装置から、前記出力処理手段によって出力された前記振幅変調された変調信号を受け取り、前記変調信号の周波数を前記基準電波の周波数に変換する変換手段と、
前記変換された変調信号を無線送信する無線送信手段と、を備える、
ことを特徴とする時刻情報送信システム。
【請求項２】
現在時刻を表す時刻情報を生成する時刻情報生成装置と、前記時刻情報を無線送信する時刻情報送信装置とを用いた時刻情報送信方法であって、
前記時刻情報生成装置では、
計時部が時刻を計時するステップと、
パルス発生部が、前記ステップで計時された現在時刻を表す時刻データを取得し、前記時刻データを所定の周期のパルス信号に変換するステップと、
振幅変調部が、電波時計が受信する基準電波の周波数と整数分の１の関係にある可聴帯域周波数の搬送波信号を、前記変換されたパルス信号で振幅変調するステップと、
出力処理部が、前記振幅変調された変調信号を、アナログ出力端子を介して接続された前記時刻情報送信装置に出力するための処理を行うステップと、を有し、
前記時刻情報送信装置では、
変換部が、アナログ入力端子を介して接続された前記時刻情報生成装置から、前記出力処理部によって出力された前記振幅変調された変調信号を受け取り、前記変調信号の周波数を前記基準電波の周波数に変換するステップと、
無線送信部が、前記変換された変調信号を無線送信するステップと、を有する、
ことを特徴とする時刻情報送信方法。
【請求項３】
時刻を計時する計時手段と、
前記計時手段で計時された現在時刻を表す時刻データを取得し、前記時刻データを所定の周期のパルス信号に変換するパルス発生手段と、
電波時計が受信する基準電波の周波数と整数分の１の関係にある可聴帯域周波数の搬送波信号を、前記変換されたパルス信号で振幅変調する振幅変調手段と、
前記振幅変調された変調信号を、アナログ出力端子を介して接続された外部装置に出力するための処理を行う出力処理手段と、を備える、
ことを特徴とする時刻情報生成装置。
【請求項４】
アナログ入力端子を介して接続された外部装置から変調信号を受け取り、前記変調信号の周波数を、電波時計が受信する基準電波の周波数に変換する変換手段と、
前記変換された変調信号を無線送信する無線送信手段と、を備える、
ことを特徴とする時刻情報送信装置。
【発明の詳細な説明】
【技術分野】
【０００１】
本発明は、時刻情報送信システム、時刻情報送信方法、時刻情報生成装置及び時刻情報送信装置に関する。
【背景技術】
【０００２】
標準電波を送信する送信局やＧＰＳ（Global Positioning System）衛星から送信された電波を受信し、受信した電波に含まれた時刻情報を基に時刻を自動的に修正する電波時計が普及している。電波時計は、鉄筋コンクリート構造や鉄骨構造の建物内部のように電波が減衰する場所では時刻を正常に修正できないことがある。
【０００３】
一方、下記の特許文献１には、時刻情報を含む電波を送信する時刻情報送信装置が開示されている。この時刻情報送信装置によれば、電波時計が電波を直接受信しにくい場所にあっても、時刻情報送信装置から送信された電波に含まれる時刻情報を基に電波時計の時刻を修正できる。
【先行技術文献】
【特許文献】
【０００４】
【特許文献１】特開２０１１−１６３８０３号公報
【発明の概要】
【発明が解決しようとする課題】
【０００５】
しかしながら、上記の時刻情報送信装置は、電波を受信して装置本体の時刻を修正する機能、電波時計の時刻を修正するための電波を送信する機能の両方を実現することが必要となるため必然的に装置構成が複雑となり製造コストが高くなる、という問題があった。そのため、このような専用の装置を購入するためのコストがかかる、という問題があった。
【０００６】
本発明は、このような問題に鑑みてなされたものであり、装置構成の更なる簡略化及び／又は低価格化等を図る、時刻情報送信システム、時刻情報送信方法、時刻情報生成装置及び時刻情報送信装置を提供することを目的とする。
【課題を解決するための手段】
【０００７】
上記目的を達成するため、本発明の第１の観点に係る時刻情報送信システムは、
現在時刻を表す時刻情報を生成する時刻情報生成装置と、前記時刻情報を無線送信する時刻情報送信装置とを備えた時刻情報送信システムであって、
前記時刻情報生成装置は、
時刻を計時する計時手段と、
前記計時手段で計時された現在時刻を表す時刻データを取得し、前記時刻データを所定の周期のパルス信号に変換するパルス発生手段と、
電波時計が受信する基準電波の周波数と整数分の１の関係にある可聴帯域周波数の搬送波信号を、前記変換されたパルス信号で振幅変調する振幅変調手段と、
前記振幅変調された変調信号を、アナログ出力端子を介して接続された前記時刻情報送信装置に出力するための処理を行う出力処理手段と、を備え、
前記時刻情報送信装置は、
アナログ入力端子を介して接続された前記時刻情報生成装置から、前記出力処理手段によって出力された前記振幅変調された変調信号を受け取り、前記変調信号の周波数を前記基準電波の周波数に変換する変換手段と、
前記変換された変調信号を無線送信する無線送信手段と、を備える、
ことを特徴とする。
【０００８】
また、本発明の第２の観点に係る時刻情報送信方法は、
現在時刻を表す時刻情報を生成する時刻情報生成装置と、前記時刻情報を無線送信する時刻情報送信装置とを用いた時刻情報送信方法であって、
前記時刻情報生成装置では、
計時部が時刻を計時するステップと、
パルス発生部が、前記ステップで計時された現在時刻を表す時刻データを取得し、前記時刻データを所定の周期のパルス信号に変換するステップと、
振幅変調部が、電波時計が受信する基準電波の周波数と整数分の１の関係にある可聴帯域周波数の搬送波信号を、前記変換されたパルス信号で振幅変調するステップと、
出力処理部が、前記振幅変調された変調信号を、アナログ出力端子を介して接続された前記時刻情報送信装置に出力するための処理を行うステップと、を有し、
前記時刻情報送信装置では、
変換部が、アナログ入力端子を介して接続された前記時刻情報生成装置から、前記出力処理部によって出力された前記振幅変調された変調信号を受け取り、前記変調信号の周波数を前記基準電波の周波数に変換するステップと、
無線送信部が、前記変換された変調信号を無線送信するステップと、を有する、
ことを特徴とする。
【０００９】
さらに、本発明の第３の観点に係る時刻情報生成装置は、
時刻を計時する計時手段と、
前記計時手段で計時された現在時刻を表す時刻データを取得し、前記時刻データを所定の周期のパルス信号に変換するパルス発生手段と、
電波時計が受信する基準電波の周波数と整数分の１の関係にある可聴帯域周波数の搬送波信号を、前記変換されたパルス信号で振幅変調する振幅変調手段と、
前記振幅変調された変調信号を、アナログ出力端子を介して接続された外部装置に出力するための処理を行う出力処理手段と、を備える、
ことを特徴とする。
【００１０】
また、本発明の第４の観点に係る時刻情報送信装置は、
アナログ入力端子を介して接続された外部装置から変調信号を受け取り、前記変調信号の周波数を、電波時計が受信する基準電波の周波数に変換する変換手段と、
前記変換された変調信号を無線送信する無線送信手段と、を備える、
ことを特徴とする。
【発明の効果】
【００１１】
本発明によれば、装置構成の更なる簡略化及び／又は低価格化等を図ることができる。
【図面の簡単な説明】
【００１２】
【図１】本発明の実施の形態に係る時刻情報送信システムを概略的に示す図である。
【図２】（Ａ）は図１に示した無線アダプタのアナログ入力端子が側面から突出したタイプのものである一例を示す図である。（Ｂ）は図１に示した無線アダプタのアナログ入力端子がケーブルタイプのものである一例を示す図である。
【図３】図１に示した時刻情報送信システムにおけるスマートフォン及び無線アダプタの構成を示す図である。
【図４】時刻情報を表すビット値、マーカのそれぞれに対応するデューティ比のパルス信号波形の一例を示す図である。
【図５】ＡＭ変調された後のパルス信号の波形の一例を示す図である。
【図６】低域通過フィルタの周波数特性を示す図である。
【図７】４逓倍器の構成例を示す回路図である。
【図８】本発明の変形例に係るスマートフォンの構成を示すブロック図である。
【発明を実施するための形態】
【００１３】
はじめに、図１を参照して、本発明の一実施形態に係る時刻情報送信システム１を説明する。時刻情報送信システム１は、ビルやマンション等の建物内にある電波時計３０に時刻情報を無線送信し、電波時計３０の時刻を修正するためのものである。時刻情報送信システム１は、スマートフォン１０と、無線アダプタ２０とを備える。
【００１４】
スマートフォン１０は、内部時計によって計時されている現在時刻を基に時刻情報を生成する。内部時計は、例えばＲＴＣ（Real Time Clock)から構成され、ＣＰＵ（Central Processing Unit)の制御のもと、基準電波送信局から送信された基準電波や、ＧＰＳ衛星から送信されたＧＰＳ信号に含まれる時刻情報（タイムコード）、あるいはＮＴＰ（Network Time Protocol）を利用することにより取得する時刻情報に基づいて正確な時刻に修正される。
【００１５】
一方、無線アダプタ２０は、図２に示すように、スマートフォン１０に設けられたアナログ出力端子１０８に、アナログ入力端子２０１を接続することにより利用される。なお、アナログ出力端子１０８は、例えばイヤフォンジャックから構成される。一方、アナログ入力端子２０１は、例えばステレオミニプラグから構成される。
【００１６】
アナログ入力端子２０１は、図２（Ａ）に示すように無線アダプタ２０の側面から突出したタイプのものや、図２（Ｂ）に示すようにケーブルタイプのものがある。無線アダプタ２０は、スマートフォン１０から時刻情報を受け取り、受け取った時刻情報を無線送信する。電波時計３０は、無線アダプタ２０から送信された時刻情報を受信し、受信した時刻情報を基に時刻を修正する。
【００１７】
次に、図３を参照して、図１に示したスマートフォン１０及び無線アダプタ２０の構成を説明する。
【００１８】
スマートフォン１０は、パルス発生器１０１と、搬送波発生器１０２と、ＡＭ（amplitude modulation）変調器１０３と、Ｄ／Ａ（Digital-to-Analog）変換器１０４と、低域通過フィルタ１０５と、出力レベル調整器１０６と、増幅器１０７と、アナログ出力端子１０８とを備える。
【００１９】
パルス発生器１０１は、例えばＣＰＵ（Central Processing Unit）、ＤＳＰ（Digital Signal Processor）等から構成される。パルス発生器１０１は、スマートフォン１０の内部時計によって計時されている現在時刻を表す時刻データを取得する。時刻データは、例えば、時、分、通算日（１月１日からの通算日数）、年（西暦下２桁）、うるう秒情報、時または分に対するパリティ等の時刻情報を有する。
【００２０】
パルス発生器１０１は、取得した時刻データ（１レコード分の時刻データ）により表される各種情報を、所定のパルス幅変調方式に基づいて符号化（バイナリ化）する。具体的には、パルス発生器１０１は、基準電波送信局から送信される電波に含まれる時刻情報（タイムコード）と同一の方式で各種情報を符号化する。例えば「時」は６ビット（２０時、１０時、８時、４時、２時、１時）、「分」は７ビット（４０分、２０分、１０分、８分、４分、２分、１分）、「通算日」は１０ビット（２００日、１００日、８０日、４０日、２０日、１０日、８日、４日、２日、１日）、「年」は８ビット（８０年、４０年、２０年、１０年、８年、４年、２年、１年）で表される。
【００２１】
また、パルス発生器１０１は、符号化された各種情報（時、分、通算日等）を、予め設定された順番（例えば、年、通算日、時、分の順）に並べる。また、パルス発生器１０１は、データの位置を識別するためのマーカ（ポジションマーカ）を追加する。マーカは、例えば、最初の情報（例えば年）の先頭、各種情報間、最後の情報（分）の後尾の位置に追加される。
【００２２】
パルス発生器１０１は、各種情報を表すビット値、マーカのそれぞれに対応するデューティ比のパルス信号を順次発生する。具体的には、例えば図４に示すように、論理値が“１”であるビットはデューティ比５０％のパルス信号、論理値が“０”であるビットはデューティ比８０％のパルス信号、マーカはデューティ比２０％のパルス信号を発生する。なお、パルス信号の周波数は、例えば１Ｈｚである。パルス発生器１０１は、発生したパルス信号をＡＭ変調器１０３に順次供給する。
【００２３】
搬送波発生器１０２は、例えば水晶発振器と分周器とから構成される。搬送波発生器１０２は、可聴帯域周波数（以下、この周波数を「ｆｃ１」として示す）の搬送波信号を発生し、これをＡＭ変調器１０３に供給する。周波数ｆｃ１は、無線アダプタ２０が送信する基準電波の周波数（以下、この周波数を「ｆｃ０」として示す）と整数分の１の関係にある。なお、ここでは周波数ｆｃ１は、周波数ｆｃ０の４分の１とする。基準電波の周波数（送信周波数４０ｋＨｚ、６０ｋＨｚ、７７．５ｋＨｚ）は、スマートフォン１０の操作部を介したユーザの操作に従って選択され、搬送波発生器１０２は、ユーザの操作に従って選択された周波数の４分の１の搬送波信号（１０ｋＨｚ、１５ｋＨｚ、１９．３７５ｋＨｚ）を発生する。
【００２４】
ＡＭ変調器１０３は、例えばＣＰＵやＤＳＰ（Digital Signal Processor）等から構成される。ＡＭ変調器１０３は、パルス発生器１０１から順次受け取るパルス信号で、搬送波発生器１０２から受け取る周波数ｆｃ１の搬送波をＡＭ変調する。ＡＭ変調器１０３は、ＡＭ変調された変調信号をＤ／Ａ変換器１０４に供給する。なお、図５に示すように、ＡＭ変調器１０３によって得られるＡＭ変調信号は、ビット値及びマーカによってそれぞれ異なる。
【００２５】
Ｄ／Ａ変換器１０４は、デジタル信号であるＡＭ変調信号を変調器１０３から受け取り、これをアナログ信号に変換する。Ｄ／Ａ変換器１０４は、アナログ変換されたＡＭ変調信号を低域通過フィルタ１０５に供給する。
【００２６】
低域通過フィルタ１０５は、例えば積分回路から構成される。低域通過フィルタ１０５は、アナログ信号であるＡＭ変調信号をＤ／Ａ変換器１０４から受け取る。低域通過フィルタ１０５は、ＡＭ変調信号から所定の遮断周波数よりも高い周波数成分を除去し、残った周波数成分からなるＡＭ変調信号を出力レベル調整器１０６に供給する。遮断周波数は、例えば、可聴帯域の上限程度（周波数２０ｋＨｚ）である。
【００２７】
出力レベル調整器１０６は、振幅増幅器から構成される。出力レベル調整器１０６は、低域通過フィルタ１０５からフィルタリングされたＡＭ変調信号を受け取る。また、出力レベル調整器１０６は、無線アダプタ２０のゲインを調整するための調整信号を、例えばスマートフォン１０のＣＰＵから受け取り、この調整信号によってＡＭ変調信号を調整する。出力レベル調整器１０６は、調整されたＡＭ変調信号を増幅器１０７に供給する。
例えば図６に示すように、低域通過フィルタ１０５の相対ゲインは、可聴帯域の上限付近で低下する傾向があるため、周波数１９．３７５ｋＨｚが選択された場合と、それ以外の周波数１０ｋＨｚや１５ｋＨｚが選択された場合とで低域通過フィルタ１０５の出力レベルが互いに異なる。また、後述する無線アダプタ２０に備えられた各種回路のゲインも周波数間で異なる。このように各種回路のゲインが周波数間で異なると、無線アダプタ２０の送信出力レベルも周波数毎に異なる。
スマートフォン１０のメモリや外部メモリには、選択可能な周波数（４０ｋＨｚ、６０ｋＨｚ、７７．５ｋＨｚ）間で無線アダプタ２０の送信出力レベルを均一に調整するための出力レベル調整データ（ゲイン調整値）が選択可能な周波数毎に予め記録されている。ＣＰＵは、ユーザによって選択された周波数に対応する出力レベル調整データをメモリから読み出し、この出力調整データに基づいて調整信号を生成し、出力レベル調整器１０６に供給する。
【００２８】
増幅器１０７は、出力レベル調整器１０６から出力レベル調整後のＡＭ変調信号を受け取り、これを増幅する。増幅器１０７は、増幅後のＡＭ変調信号を、アナログ出力端子１０８を介して接続された無線アダプタ２０に出力する。
【００２９】
次に、図７を参照して図１に示した無線アダプタ２０の構成を説明する。
【００３０】
無線アダプタ２０は、アナログ入力端子２０１と、４逓倍器２０２と、スイッチ回路２０３と、３種の共振フィルタ２０４（２０４Ａ〜２０４Ｃ）と、増幅器２０５と、同調回路２０６と、周波数選択スイッチ２０７と、送信アンテナ２０８とを備える。
【００３１】
４逓倍器２０２は、アナログ入力端子２０１を介してスマートフォン１０から供給されるＡＭ変調信号を受け取る。４逓倍器２０２は、受け取ったＡＭ変調信号の周波数を４倍にすることにより、基準電波の周波数（送信周波数）に変換し、これをスイッチ回路２０３に供給する。なお、４逓倍器２０２は、例えば図８に示すように、２つの全波整流回路Ｒ１及びＲ２と、３つの変成器Ｔ１乃至Ｔ３とから構成される。
【００３２】
周波数選択スイッチ２０７は、無線アダプタ２０から送信する基準電波の周波数（４０ｋＨｚ、６０ｋＨｚ、７７．５ｋＨｚ）を切り替え選択するためのスイッチである。周波数選択スイッチ２０７は、例えばメカスイッチから構成され、ユーザの操作に従って、切り替え、選択される。
【００３３】
スイッチ回路２０３は、例えばアナログスイッチから構成され、周波数選択スイッチ２０７で選択された周波数に対応するスイッチ信号により共振フィルタ２０４Ａ〜２０４Ｃの何れか１つと接続される。スイッチ回路２０３は、４逓倍器２０２から供給されるＡＭ変調信号を受け取り、接続された共振フィルタ２０４にＡＭ変調信号を供給する。
【００３４】
共振フィルタ２０４Ａ〜２０４Ｃは、例えば水晶フィルタから構成される。共振フィルタ２０４Ａ〜２０４Ｃは、それぞれ、周波数４０ｋＨｚ、周波数６０ｋＨｚ、周波数７７．５ｋＨｚを共振周波数とするフィルタである。共振フィルタ２０４Ａ〜２０４Ｃは、スイッチ回路２０３から供給されたＡＭ変調信号から自己の共振周波数以外の周波数成分を除去し、残った周波数成分からなるＡＭ変調信号を増幅器２０５に供給する。
【００３５】
増幅器２０５は、共振フィルタ２０４から供給されたＡＭ変調信号を増幅し、増幅されたＡＭ変調信号を同調回路２０６に供給する。
【００３６】
同調回路２０６は、例えば可変容量ダイオード及びコイルから構成される。同調回路２０６は、増幅器２０５で増幅されたＡＭ変調信号を受け取り、周波数選択スイッチ２０７で選択された周波数に同調した周波数成分からなるＡＭ変調信号を送信アンテナ２０８から送信する。
【００３７】
上記の各構成を備える時刻情報送信システム１を利用して電波時計３０の時刻を修正するときの動作を説明する。
【００３８】
ユーザは、無線アダプタ２０のアナログ入力端子２０１を、スマートフォン１０のアナログ出力端子１０８に接続する。また、このとき、ユーザは、スマートフォン１０の操作部を操作することにより、スマートフォン１０の表示部に表示される送信周波数選択画面から送信周波数（４０ｋＨｚ、６０ｋＨｚ、７７．５ｋＨｚの何れか）を選択する。また、このとき、ユーザは、無線アダプタ２０の周波数選択スイッチ２０７を操作し、スマートフォン１０上で選択した送信周波数（例えば４０ｋＨｚ）と同じ送信周波数（４０ｋＨｚ）に切り替え選択する。
【００３９】
パルス発生器１０１は、例えば、内部時計の正分の立ち上がり（毎分０秒）のタイミングで内部時計から時刻データを取得し、時刻データを所定の周期（例えば１ｋＨｚ）のパルス信号に変換し、これをＡＭ変調器１０３に供給する。一方、搬送波発生器１０２は、ユーザによって選択された基準電波の周波数（４０ｋＨｚ）の４分の１の周波数（１０ｋＨｚ）の搬送波信号を発生する。
【００４０】
ＡＭ変調器１０３は、パルス発生器１０１から受け取るパルス信号で、搬送波発生器１０２から受け取る周波数の搬送波をＡＭ変調する。ＡＭ変調器１０３でＡＭ変調されたＡＭ変調信号は、Ｄ／Ａ変換器１０４によりアナログ信号に変換され、低域通過フィルタ１０５により所定の遮断周波数以下の信号に変換される。低域通過フィルタ１０５を通過したＡＭ変調信号は、出力レベル調整器１０６によって所定のレベルに調整された後、増幅器１０７によって増幅される。増幅されたＡＭ変調信号は、アナログ出力端子１０８を介して接続された無線アダプタ２０に供給される。
【００４１】
一方、無線アダプタ２０の４逓倍器２０２には、アナログ入力端子２０１を介して接続されたスマートフォン１０からＡＭ変調信号が供給される。ＡＭ変調信号は、４逓倍器２０２により４逓倍され、周波数選択スイッチ２０７で選択された基準電波の周波数（ｆｃ０＝４０ｋＨｚ）に変換される。また、基準電波の周波数に変換されたＡＭ変調信号は、スイッチ回路２０３によって基準電波の周波数（ｆｃ０＝４０ｋＨｚ）に対応する共振フィルタ２０４で共振され、増幅器２０５で増幅される。その後、増幅されたＡＭ変調信号は、周波数選択スイッチ２０７で選択された周波数成分（ｆｃ＝４０ｋＨｚ）に同調する同調回路２０６を介して送信アンテナ２０８をから送信される。なお、この送信アンテナ２０８から送信される変調信号は、電波時計３０が受信する標準電波の周波数及び変調方式と実質的に一致するものである。
【００４２】
電波時計３０は、無線アダプタ２０から送信されたＡＭ変調信号を受信し、受信したＡＭ変調信号（１Ｈｚ）を復調することによって、スマートフォン１０の内部時計で計時された時刻情報を取得する。なお、ＡＭ変調信号の復調は、例えば、基準電波送信局から送信される電波に含まれる時刻情報（タイムコード）の復調と同一の方式で行われる。
【００４３】
以上、本実施形態によれば、スマートフォン１０のアナログ入力端子と、無線アダプタ２０のアナログ出力端子との接続によって、スマートフォン１０で計時されている時刻を基に生成される時刻情報を無線アダプタ２０から無線送信できる。これにより、一般的に普及しているスマートフォン１０を利用して、無線アダプタ２０の構成の更なる簡略化及び／又は低価格化等を図ることができる。
【００４４】
なお、無線アダプタ２０に備えられる共振フィルタ２０４の個数は、電波時計３０が受信する基準電波の周波数に応じて適宜に変更できる。なお、基準電波を送信する周波数を１種類のみとしても良く、この場合には、スイッチ回路２０３を省略し、４逓倍器２０２と共振フィルタ２０４とを直列的に接続すれば良い。
【００４５】
また、周波数ｆｃ１と周波数ｆｃ０とは、１：４の比率の関係でなくても良く、１：３の比率あるいはその他の比率であってよい。もっとも、標準電波の周波数が上述のように４０キロヘルツ、６０キロヘルツ、７５．５キロヘルツあるいはこれらの近傍の値であるという前提の下では、可聴帯域の搬送波信号を標準電波の周波集に変換するための逓倍率は４または３が好適である。
【００４６】
また、スマートフォン１０に備えられる出力レベル調整器１０６及び増幅器１０７が可聴帯域を超える周波数帯域の信号を増幅可能である場合には、低域通過フィルタ１０５の遮断周波数は、必ずしも可聴帯域内の周波数でなくても良く、出力レベル調整器１０６及び増幅器１０７によって増幅可能な帯域内の周波数であればよい。
【００４７】
また、スマートフォン１０に備えられる搬送波発生器１０２は、複数の周波数の搬送波を、たとえば一定の時間間隔で周波数を順次切り替えながら生成してもよい。また、搬送波発生器１０２は、スマートフォン１０の操作部を介したユーザの操作に従って、周波数を切り替えてもよい。
【００４８】
また、出力レベル調整器１０６は、たとえばデジタルＡＭ変調信号を処理するＣＰＵ、ＤＳＰ等から構成されていてもよい。この場合、出力レベル調整器１０６は、図８に示すように、ＡＭ変調器１０３によってＡＭ変調されたデジタルのＡＭ変調信号を、出力レベル調整データによって調整し、調整後のＡＭ変調信号をＤ／Ａ変換器に供給しても良い。またこの場合、低域通過フィルタ１０５は、増幅器１０７と直列的に接続すれば良い。
【００４９】
また、パルス発生器１０１は、外部から時刻データを取得する処理を行う毎に、自己を識別するワンタイムパスワードを生成して記憶する処理を行うものとしてもよい。この場合には、パルス発生器１０１は、取得した時刻データのみならず、生成したワンタイムパスワード（以下、今回のパスワードと呼ぶ）、及び、直近の前回に生成して記憶していたワンタイムパスワード（以下、前回のパスワードと呼ぶ）も信号としてパルス変調波を生成してもよい。
【００５０】
一方、電波時計３０は、時刻データ、今回のパスワード及び前回のパスワードを伝送する無線信号を受信したとき、たとえばこの無線信号から時刻データ、今回のパスワード及び前回のパスワードを抽出して、抽出された前回のパスワードと、自己が記憶する後述のパスワード履歴データとが一致するか否かを判別し、一致すると判別した場合のみ、当該前回のパスワードとともに抽出された時刻データを用いて、自己が保持している時刻データを上書き更新するものとし、この上書き更新を行った際は、当該時刻データ及び前回のパスワードとともに抽出された今回のパスワードを、パスワード履歴データとして新たに上書き記憶するものとしてもよい。
電波時計３０がこのような処理を行うことにより、電波時計３０が虚偽の時刻データによって時刻修正を行うという事態の発生が防止され得る。
【００５１】
なお、スマートフォン１０及び無線アダプタ２０は、それぞれ、通常のコンピュータにより実現できる。この場合、上記の実施形態で説明した各種処理は、コンピュータにより実行される。また、コンピュータは、プログラムに従って、それぞれ、上記の実施形態で説明した動作を行う。また、プログラムは、持ち運び可能な記録媒体等に記録されたものでもよい。持ち運び可能な記録媒体には、例えば、ＣＤ−ＲＯＭ、ＤＶＤ−ＲＯＭ、ＢＤ−ＲＯＭ等がある。また、プログラムは、持ち運び可能な記録媒体から各種読取装置を介して、スマートフォン１０及び無線アダプタ２０にインストールされたものでも良い。さらに、プログラムは、インターネット等を介して、スマートフォン１０及び無線アダプタ２０にダウンロード及びインストールされたものでもよい。また、プログラムは、スマートフォン１０及び無線アダプタ２０と通信可能なサーバ等の記憶装置に格納されたものでも良い。
【００５２】
該プログラムは、例えば、通信回線の掲示板（ＢＢＳ）にアップロードし、これを通信回線を介して配信してもよく、また、これらのプログラムを表す信号により搬送波を変調し、得られた変調波を伝送し、この変調波を受信した装置が変調波を復調してこれらのプログラムを復元するようにしてもよい。そして、これらのプログラムを起動し、ＯＳの制御下に、他のアプリケーションプログラムと同様に実行することにより、上述の処理を実行することができる。
【００５３】
また、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【００５４】
その他、ここまでの説明でスマートフォン１０を本発明に係る時刻情報生成装置の一例として説明したが、時刻情報生成装置は、上記の各種機能を実現できるものであれば、その他、ＰＣ、デジタルオーディオプレーヤ、デジタルテレビ受像機等の各種端末に適用できる。
【００５５】
その他、本発明は、上記実施形態の説明及び図面によって限定されるものではなく、上記実施形態及び図面に適宜変更等を加えることは可能である。
【符号の説明】
【００５６】
１  時刻情報送信システム
１０  スマートフォン（時刻情報生成装置）
２０  無線アダプタ（時刻情報送信装置）
３０  電波時計
１０１  パルス発生器
１０２  搬送波発生器
１０３  ＡＭ変調器
１０４  Ｄ／Ａ変換器
１０５  低域通過フィルタ
１０６  出力レベル調整器
１０７  増幅器
１０８  アナログ出力端子
２０１  アナログ入力端子
２０２  ４逓倍器
２０３  スイッチ回路
２０４（２０４Ａ，２０４Ｂ，２０４Ｃ）  共振フィルタ
２０５  増幅器
２０６  同調回路
２０７  周波数選択スイッチ
２０８  送信アンテナ
Ｒ１，Ｒ２  全波整流回路
Ｔ１〜Ｔ３  変成器
【図１】
2014044133.tif 000003
【図２】
2014044133.tif 000004
【図３】
2014044133.tif 000005
【図４】
2014044133.tif 000006
【図５】
2014044133.tif 000007
【図６】
2014044133.tif 000008
【図７】
2014044133.tif 000009
【図８】
2014044133.tif 000010